(57)【特許請求の範囲】
【請求項１】
基礎と該基礎上に建築される建物本体との間に免震装置が介装されて、前記基礎と前記建物本体とが分割ラインを挟んで相対移動する免震構造建物に取り付けられ、雨水を流下させて排水する縦樋を備えた免震構造建物の縦樋構造において、
前記縦樋は、前記建物本体に固定されると共に雨水を下部開口から排出する建物側縦樋部と、前記基礎に固定されると共に前記建物側縦樋部の前記下部開口から排出された前記雨水が流入する上部開口を有する基礎側縦樋部とに分割され、  前記建物側縦樋部の前記下部開口と前記基礎側縦樋部の前記上部開口とが対向されていると共に、前記基礎と前記建物本体とが相対移動した際に、前記分割ラインを挟んで相対移動し、
前記建物側縦樋部の前記下部開口と前記基礎側縦樋部の前記上部開口とが離間され、前記基礎側縦樋部の前記上部開口には前記建物側縦樋部の前記下部開口よりも大きな開口面積の受口部が設けられたことを特徴とする免震構造建物の縦樋構造。
【請求項２】
前記受口部が、ゴミの混入を防止するネット部材により覆われていることを特徴とする請求項１に記載の免震構造建物の縦樋構造。
【請求項３】
基礎と該基礎上に建築される建物本体との間に免震装置が介装されて、前記基礎と前記建物本体とが分割ラインを挟んで相対移動する免震構造建物に取り付けられ、雨水を流下させて排水する縦樋を備えた免震構造建物の縦樋構造において、
前記縦樋は、前記建物本体に固定されると共に雨水を下部開口から排出する建物側縦樋部と、前記基礎に固定されると共に前記建物側縦樋部の前記下部開口から排出された前記雨水が流入する上部開口を有する基礎側縦樋部とに分割され、
前記建物側縦樋部の前記下部開口と前記基礎側縦樋部の前記上部開口とが対向されていると共に、前記基礎と前記建物本体とが相対移動した際に、前記分割ラインを挟んで相対移動し、
前記建物側縦樋部の下部が前記分割ラインよりも上の位置で、建物から離れる方向に曲げられており、該曲げられた先が前記下部開口となされ、
前記建物側縦樋部の前記下部開口と前記基礎側縦樋部の前記上部開口とが、可撓性を有する管状部材によって連結されたことを特徴とする免震構造建物の縦樋構造。
【発明の詳細な説明】
【０００１】
【発明の属する技術分野】
この発明は、排水を行うために免震構造建物に取り付けられた縦樋構造に関するものである。
【０００２】
【従来の技術】
従来、免震構造建物の縦樋構造として、特開平１１−２５６８７４号公報に記載のものが知られている。
【０００３】
まず、この従来の免震構造建物の縦樋構造の構成から説明する。
【０００４】
図４に示す１は免震構造建物であり、基礎２とこの基礎２上に建築された建物本体３とを有し、基礎２及び建物本体３の間に免震装置４が介装されている。
【０００５】
建物本体３には犬走り５が一体に形成されていると共に、建物本体３の側壁面３ａには縦樋６が設けられている。
【０００６】
また、犬走り５の端部下側には免震装置４が位置し、基礎２と犬走り５とがこの免震装置４を介して連結されている。
【０００７】
この免震構造建物１は、免震装置４で犬走り５と基礎２とが相対移動可能にされることにより、この犬走り５と一体にされた建物本体３と基礎２とが相対的に移動することが可能にされている。
【０００８】
また、犬走り５には、縦樋６の下部開口６ａに面し、犬走り５の横断方向に延在されて端部７ａが開放した排水溝７が設けられている。そして、基礎３には排水溝７の端部７ａに面する側溝８が設けられている。
【０００９】
次に、この従来の免震構造建物の縦樋構造の作用を説明する。
【００１０】
このように構成された免震構造建物の縦樋構造では、雨水が軒樋等を通って建物本体３に設けられた縦樋６内に流入し、この縦樋６の下部開口６ａから排水された雨水が犬走り５の排水溝７に流れ込む。
【００１１】
そして、犬走り５の排水溝７の端部７ａから雨水が流下して、基礎２に設けられた側溝８に排水されている。
【００１２】
【発明が解決しようとする課題】
しかしながら、上述の免震構造建物の縦樋構造では、建物本体３に一体に犬走り５を設けること自体、構造を複雑にして、製造コストを上昇させていた。
【００１３】
さらに、この犬走り５と基礎２とが相対移動することで、建物本体３と基礎２とを相対的に移動可能にする構造は、非常にコストがかかり、住宅等の一般的な建物には採用され難いものである。
【００１４】
そこで、この発明は、上記のような問題点を鑑みてされたものであり、一般的な建物でも採用することができる低コストの免震構造建物の縦樋構造を提供する
ことを目的としている。
【００１５】
【課題を解決するための手段】
上記課題を解決するために、請求項１に係る発明は、基礎と該基礎上に建築される建物本体との間に免震装置が介装されて、前記基礎と前記建物本体とが分割ラインを挟んで相対移動する免震構造建物に取り付けられ、雨水を流下させて排水する縦樋を備えた免震構造建物の縦樋構造において、前記縦樋は、前記建物本体に固定されると共に雨水を下部開口から排出する建物側縦樋部と、前記基礎に固定されると共に前記建物側縦樋部の前記下部開口から排出された前記雨水が流入する上部開口を有する基礎側縦樋部とに分割され、  前記建物側縦樋部の前記下部開口と前記基礎側縦樋部の前記上部開口とが対向されていると共に、前記基礎と前記建物本体とが相対移動した際に、前記分割ラインを挟んで相対移動し、前記建物側縦樋部の前記下部開口と前記基礎側縦樋部の前記上部開口とが離間され、前記基礎側縦樋部の前記上部開口には前記建物側縦樋部の前記下部開口よりも大きな開口面積の受口部が設けられたことを特徴としている。
【００１６】
このように構成された請求項１の発明によれば、前記縦樋内を通過する雨水は、前記建物側縦樋部の下部開口から前記基礎側縦樋部の上部開口に流入して円滑に排水される。
【００１７】
また、基礎と建物本体とが相対移動して免震装置が作動した際に、縦樋の建物側縦樋部と基礎側縦樋部とが分割されているので、相対移動して免震構造建物に縦樋が干渉することがなく、免震装置の作動を阻害することがない。そして、構成が簡易であるので低コストの縦樋構造を提供することができる。
【００１８】
また、建物側縦樋部の下部開口よりも開口面積の大きな受口部が基礎側縦樋部の上部開口に設けられたことにより、建物側縦樋部と基礎側縦樋部とが相対移動をした際に、建物側縦樋部の下部開口と基礎側縦樋部の上部開口との水平方向の位置が相対的に変化しても、建物側縦樋部から排出された雨水を、受口部を介して全て基礎側縦樋部で受けることができ、確実に排水を行うことができる。
【００１９】
さらに、請求項２に係る発明は、基礎側縦樋部の上部開口が、ゴミの混入を防止するネット部材により覆われている請求項１に記載の免震構造建物の縦樋構造を特徴としている。
【００２０】
このように構成された請求項２の発明によれば、請求項１の作用効果に加え、基礎側縦樋部内にゴミが混入することを防止でき、この基礎側縦樋部や、排水溝等にゴミが詰まらずに、円滑に排水することができる。
【００２１】
また、請求項３に係る発明は、基礎と該基礎上に建築される建物本体との間に免震装置が介装されて、前記基礎と前記建物本体とが分割ラインを挟んで相対移動する免震構造建物に取り付けられ、雨水を流下させて排水する縦樋を備えた免震構造建物の縦樋構造において、前記縦樋は、前記建物本体に固定されると共に雨水を下部開口から排出する建物側縦樋部と、前記基礎に固定されると共に前記建物側縦樋部の前記下部開口から排出された前記雨水が流入する上部開口を有する基礎側縦樋部とに分割され、  前記建物側縦樋部の前記下部開口と前記基礎側縦樋部の前記上部開口とが対向されていると共に、前記基礎と前記建物本体とが相対移動した際に、前記分割ラインを挟んで相対移動し、
前記建物側縦樋部の下部が前記分割ラインよりも上の位置で、建物から離れる方向に曲げられており、該曲げられた先が前記下部開口となされ、
前記建物側縦樋部の前記下部開口と前記基礎側縦樋部の前記上部開口とが、可撓性を有する管状部材によって連結されたことを特徴としている。
【００２２】
このように構成された請求項３の発明によれば、前記縦樋内を通過する雨水は、前記建物側縦樋部の下部開口から前記基礎側縦樋部の上部開口に流入して円滑に排水される。
【００２３】
また、基礎と建物本体とが相対移動して免震装置が作動した際に、縦樋の建物側縦樋部と基礎側縦樋部とが分割されているので、相対移動して免震構造建物に縦樋が干渉することがなく、免震装置の作動を阻害することがない。そして、構成が簡易であるので低コストの縦樋構造を提供することができる。
【００２４】
更に、前記建物側縦樋部の下部が前記分割ラインよりも上の位置で、建物から離れる方向に曲げられており、該曲げられた先が前記下部開口となされ、前記建物側縦樋部の前記下部開口と前記基礎側縦樋部の前記上部開口とが、可撓性を有する管状部材によって連結されたことにより、可撓性を有する管状部材が建物から離れた位置となるため、免震構造建物に管状部材が干渉することがなく、免震装置の作動を阻害することがない。また、建物側縦樋部と基礎側縦樋部とが相対移動をした際に、建物側縦樋部の下部開口と基礎側縦樋部の上部開口との水平方向の位置が相対的に変化しても、建物側縦樋部から排出された雨水を、受口部を介して全て基礎側縦樋部で受けることができ、確実に排水を行うことができる。
【００２５】
また、免震装置作動時に簡易な構成で建物側縦樋部と基礎側縦樋部とが相対移動する縦樋を提供することができ、コストを抑制することが可能となる。
【００２６】
【発明の実施の形態１】
以下、図面に基づいてこの発明の実施の形態１の免震構造建物の縦樋構造を説明する。
【００２７】
この免震構造建物の縦樋構造は、まず構成から説明すると、図１に示すように、免震構造建物１０に取り付けられた縦樋Ｔを備え、この縦樋Ｔが分割ラインＬを挟んで建物側基礎樋部２０と、基礎側縦樋部３０とに分割された構成になっている。
【００２８】
そして、この建物側基礎樋部２０の下部開口２０ａと基礎側縦樋部３０の上部開口３０ａとが前記分割ラインＬを挟んで離間されると共に、両開口２０ａ、３０ａが対向している。
【００２９】
前記建物側縦樋部２０は、免震構造建物１０の建物本体１１に固定ピース２４を介して固定されると共に、図示しない軒樋に上部が結合連通された上縦樋部２１と、この上縦樋部２１の下端部に複数のクランクエルボ（継手エルボ）２２を介して連結された先端縦樋部２３とを備えている。
【００３０】
図２に示すように、上縦樋部２１及び先端縦樋部２３は、それぞれ合成樹脂等で中空筒形状の直管であり、クランクエルボ２２は所定角度に屈曲された中空筒形状の屈曲管である。そして、これらが相互に結合連通されている。
【００３１】
また、先端縦樋部２３の下端部の開口が下方に向いた下部開口２０ａになっている。
【００３２】
そして、固定ピース２４は、二又にされた先端部２４ａで上縦樋部２１の周面に軸線方向に沿って形成された案内溝部２１ａの所望の位置を挟み込むと共に、周面に沿って延びる固定板２４ｂが図示しないネジ等で上縦樋部２１に固着され、他端部２４ｃが建物本体１１の側壁面１１ａに固着されている。
【００３３】
前記基礎側縦樋部３０は、下部開口３１ａを地中等に埋設されると共に図示しない排水管に連通された排水管カバー３１と、免震構造建物１０の基礎１２に固定ピース３５を介して固定されると共に、排水管カバー３１に下部が覆われた下縦樋部３２とを備えている。
【００３４】
図２に示すように、排水管カバー３１及び下縦樋部３２は、それぞれ合成樹脂等で形成された中空筒形状の直管であり、相互に結合連通されている。
【００３５】
なお、固定ピース３５は、二又にされた先端部３５ａで下縦樋部３２の周面に軸線方向に沿って形成された案内溝部３２ａを挟み込んで固着され、他端部３５ｂが基礎１２の側壁面１２ａに固着されている。
【００３６】
そして、排水管カバー３１は、内側形状が下縦樋部３２の外側形状とほぼ同じに形成され、下縦樋部３２が挿入されている。このとき、下縦樋部３２の案内溝部３２ａに、排水管カバー３１の周面に軸先方向に形成された案内突条部３１ｂが嵌合されている。
【００３７】
また、下縦樋部３２の上端部開口が建物側縦樋部２０の下部開口２０ａに対向した上部開口３０ａになっている。なお、ここでは、下部開口２０ａと上部開口３０ａとの軸線方向が一致している。
【００３８】
この上部開口３０ａには、ソケット３３を介して受口部としての飾りマス３４が設けられている。
【００３９】
そして、飾りマス３４は、下縦樋部３２に連結された下部から徐々に拡径され、飾りマス３４の開口３４ａの開口面積は、建物側縦樋部２０の下部開口２０ａの開口面積よりも大きく形成されている。このとき、後述する建物本体１１と基礎１２との相対移動距離よりも、飾りマス３４の開口３４ａの周縁部が下部開口２０ａの周縁部より突出していることが望ましい。
【００４０】
なお、具体的には、建物側縦樋部２０の下部開口２０ａの平面視における外寸が５５×７５ｍｍであるのに対し、飾りマス３４の開口３４ａの平面視における外寸が１４２×１８１ｍｍとされている。
【００４１】
また、この開口３４ａは、ネット部材３６により覆われている。
【００４２】
ネット部材３６は、軟質合成樹脂製の網や格子状に成形された金属格子等により形成され、飾りマス３４の開口３４ａに着脱自在に取り付けられている。また、ネット部材３６は飾りマス３４の開口３４ａに一体に設けられてもよい。
【００４３】
一方、免震構造建物１０は、地面に敷設された基礎１２と、この基礎１２上に建築された建物本体１１とを有し、この基礎１２と建物本体１１との間に免震装置１３が介装された構成になっている。
【００４４】
そして、免震装置１３は、建物本体１１の下面１１ｂに設けられた第１凹面部材１４ａと、基礎１２の上面１２ｂに設けられた第２凹面部材１４ｂとを備え、この第１、第２凹面部材１４ａ、１４ｂ間にボール部材１５が転動自在に挟まれている。
【００４５】
次に、この実施の形態１の免震構造建物の縦樋構造の作用について説明する。
【００４６】
この免震構造建物の縦樋構造では、まず、図示しない軒樋等から雨水が上縦樋部２１内に流入し、上縦樋部２１からクランクエルボ２２を通って、先端縦樋部２３の下方に向いた開口である下部開口２０ａから排出される。
【００４７】
そして、この排出された雨水は、下部開口２０ａに対向している基礎側縦樋部３０の受口部である飾りマス３４内に流下する。
【００４８】
このとき、建物側縦樋部２０の下部開口２０ａの開口面積が、飾りマス３４の開口３４ａの開口面積よりも大きくされているので、流下している水が風等により側方に向かいながら流下しても開口３４ａで受けることができる。
【００４９】
また、この開口３４ａがネット部材３６により覆われているので、木の葉や小石等のゴミがネット部材３６に引っ掛かり、基礎側縦樋部３０内にゴミが混入して基礎側縦樋部材３０が詰まることを防止できる。そして、円滑に排水することが可能となる。
【００５０】
一方、この免震構造建物の縦樋構造を有する免震構造建物１０に地震等の振動が加わった場合、免震構造建物１０に水平方向の力が加わり、地面に敷設された基礎１２が、地面の揺れ方向と同じ方向に移動する。
【００５１】
このとき、免震装置１３の第１、第２凹面部材１４ａ、１４ｂ間でボール部材１５が地面の揺れ方向と反対方向に転動する。そのため、建物本体１１は、分割ラインＬを挟んで、基礎１２に対して地面の揺れ方向と反対方向に相対的に移動することとなる。
【００５２】
このように建物本体１１と基礎１２とが相対移動をすると免震装置１３が作動して、建物本体１１に固定された建物側縦樋部２０と基礎１２に固定された基礎側縦樋部３０とが相対移動することとなる。
【００５３】
ここで、建物側縦樋部２０と基礎側縦樋部３０とは、分割ラインＬを挟んで離間されているので、相対移動の際に建物側縦樋部２０の軸線方向と、基礎側縦樋部３０の軸線方向とが容易にずれることが可能となると共に、縦樋Ｔが建物本体１１の下側部１１ｃや基礎１２の側壁面１２ａ等と干渉する虞がない。
【００５４】
そのため、簡易な構造で縦樋Ｔが建物本体１１と基礎１２との相対移動を阻害することがなくなり、コストを抑制して住宅等の一般的な建物であっても採用することが可能となる。
【００５５】
さらに、飾りマス３４の開口３４ａの開口面積は、建物側縦樋部２０の下部開口２０ａの開口面積よりも大きくされているので、下部開口２０ａと上部開口３０ａとのそれぞれの軸線方向がずれても、下部開口２０ａから流下する水を飾りマス３４で受けて、上部開口３０ａ内に流入させることができる。そして、軒樋等から流入した雨水を排水溝に円滑に排水することができる。
【００５６】
以下に、この免震構造建物の縦樋構造を利用して排水した場合の結果を示す。
【００５７】
＜実施条件＞
排水量・・・最小量  ２．５リットル／ｍｉｎ
最大量  ５０リットル／ｍｉｎ
下部開口２０ａと上部開口３０ａとの距離・・・４０ｍｍ
下部開口２０ａと上部開口３０ａとの軸線方向のずれ距離（建物の側壁面と平行方向）・・・１７ｍｍ
＜結果＞
（１）排水量２．５リットル／ｍｉｎ・・・下部開口２０ａよりも約５ｍｍ程度外側に向かって流下するが、上部開口３０ａ内に全排水量が流入することができる。
（２）排水量５０リットル／ｍｉｎ・・・  下部開口２０ａのほぼ真下に向かって流下し、上部開口３０ａ内に全排水量が流入することができる。
【００５８】
なお、排水量が増加するにつれて下部開口２０ａからの排水方向は直線的になる。
【００５９】
このように、免震構造建物の免震装置作動時に縦樋Ｔの建物側縦樋部２０と基礎側縦樋部３０とが相対移動をして、建物本体又は基礎に干渉せず、円滑な排水を行うことができる。
【００６０】
【発明の実施の形態２】
以下、図３に基づいてこの発明の実施の形態２の免震構造建物の縦樋構造を説明する。なお、前記実施の形態１と同一乃至均等な部分については、同一の符号を付して説明する。
【００６１】
まず、構成から説明すると、図３（ａ）に示すように、この免震構造建物の縦樋構造は、免震構造建物１０に取り付けられた縦樋Ｔ´の建物側縦樋部４０の下部開口４０ａと、基礎側縦樋部５０の上部開口５０ａとが、可撓性を有する管状部材である蛇腹管６０によって連結された構成になっている。
【００６２】
前記建物側縦樋部４０は、図３（ｂ）に示すように、免震構造建物１０の建物本体１１に固定されると共に、図示しない軒樋に上部が結合連通された上縦樋部４１と、この上縦樋部４１の下端部に連結された複数のクランクエルボ（継手エルボ）４２とを備え、建物側縦樋部の下部が建物から離れる方向に曲げられたものとなっている。
【００６３】
そして、曲げられた先であるクランクエルボ４２の下端部の開口が下方に向いた下部開口４０ａになっている。
【００６４】
前記基礎側縦樋部５０は、図３（ｂ）に示すように、排水管カバー５１を備え、この排水管カバー５１の下端部の開口５１ａが地中に埋設されると共に図示しない排水溝に連通されている。
【００６５】
また、排水管カバー５１の上端部の開口が基礎側縦樋部５０の上部開口５０ａになっている。そして、上部開口５０ａと建物側縦樋部４０の下部開口４０ａとが対向されていると共に、軸線方向が一致されている。
【００６６】
前記蛇腹管６０は、合成樹脂等により形成された中空筒形状を呈しており、周面６０ａが蛇腹状に曲折されて、軸線方向に伸縮可能にされている。
【００６７】
そして、一方の端部６０ｂが建物側縦樋部４０の下部開口４０ａ内に挿入固定され、他方の端部６０ｃが基礎側縦樋部５０の上部開口５０ａ内に挿入固定されている。
【００６８】
次に、この実施の形態２の作用を説明すると、まず、図示しない軒樋等から雨水が上縦樋部４１内に流入し、上縦樋部４１からクランクエルボ４２を通って、下部開口４０ａから排出される。
【００６９】
そして、この排出された雨水は、下部開口４０ａ内に挿入固定された蛇腹管６０内に流入し、基礎側縦樋部５０の上部開口５０ａから排水管カバー５１を通って図示しない排水溝に排水されていく。
【００７０】
一方、この免震構造建物の縦樋構造を有する免震構造建物１０に地震等の振動が加わった場合では、建物本体１１と基礎１２とが相対移動して、免震装置１３が作動し、建物本体１１に固定された建物側縦樋部４０と基礎１２に固定された基礎側縦樋部５０とが相対移動することとなる。
【００７１】
ここで、建物側縦樋部４０と基礎側縦樋部５０とは、可撓性を有する蛇腹管６０により結合されているので、建物本体１１と基礎１２との相対移動軌跡に応じて蛇腹管６０が屈曲又は伸張する。
【００７２】
そのため、建物側縦樋部４０と基礎側縦樋部５０との軸線方向が容易にずれることができて、免震構造建物１０の免震装置１３作動時に、縦樋Ｔ´が建物本体１１と基礎１２との相対移動を阻害することがない。
【００７３】
このように、免震構造建物１０に干渉しないで円滑な排水を行うことが簡易な構成によってでき、コストを抑制して、住宅等の一般的な建物でも採用可能な免震構造建物の縦樋構造となる。
【００７４】
以上、この発明の実施の形態１及び２を図面により詳述してきたが、具体的な構成は上述の実施の形態１及び２に限らず、この発明の要旨を逸脱しない範囲の設計の変更等があってもこの発明に含まれる。
【００７５】
例えば、実施の形態１において、免震装置１３の作動時に、上部開口３０ａから下部開口２０ａの移動軌跡が外れない範囲であれば、あらかじめ建物側縦樋部２０と基礎側縦樋部３０との軸線方向がずれていてもよい。
【００７６】
また、実施の形態２では、管状部材が周面を蛇腹状に形成された合成樹脂製の蛇腹管６０であるが、可撓性を有していればよいので、ゴム等の軟質部材により形成された管状部材であってもよい。
【００７７】
【発明の効果】
請求項１の発明によれば、免震装置作動時に免震構造建物の基礎及び建物本体の相対移動に伴って、縦樋の建物側縦樋部と基礎側縦樋部とが相対移動し、この免震構造建物に干渉することがなくなる。そして、簡易な構成で免震装置の作動を阻害することなく円滑に排水することができ、コストを抑制することが可能となる。
【００７８】
したがって、この発明は、一般的な建物でも採用することができる低コストの免震構造建物の縦樋構造を提供することができる。
【００７９】
請求項２の発明によれば、請求項１の効果に加え、基礎側縦樋部や排水溝にゴミが詰まることを防止でき、円滑な排水を行うことができる。
【００８０】
請求項３の発明によれば、前記縦樋内を通過する雨水は、前記建物側縦樋部の下部開口から前記基礎側縦樋部の上部開口に流入して円滑に排水される。
【００８１】
また、基礎と建物本体とが相対移動して免震装置が作動した際に、縦樋の建物側縦樋部と基礎側縦樋部とが分割されているので、相対移動して免震構造建物に縦樋が干渉することがなく、免震装置の作動を阻害することがない。そして、構成が簡易であるので低コストの縦樋構造を提供することができる。
【００８２】
更に、前記建物側縦樋部の下部が建物から離れる方向に曲げられており、該曲げられた先が前記下部開口となされ、前記建物側縦樋部の前記下部開口と前記基礎側縦樋部の前記上部開口とが、可撓性を有する管状部材によって連結されたことにより、可撓性を有する管状部材が建物から離れた位置となるため、免震構造建物に管状部材が干渉することがなく、免震装置の作動を阻害することがない。また、建物側縦樋部と基礎側縦樋部とが相対移動をした際に、建物側縦樋部の下部開口と基礎側縦樋部の上部開口との水平方向の位置が相対的に変化しても、建物側縦樋部から排出された雨水を、受口部を介して全て基礎側縦樋部で受けることができ、確実に排水を行うことができる。
【００８３】
また、免震装置作動時に簡易な構成で建物側縦樋部と基礎側縦樋部とが相対移動する縦樋を提供することができ、コストを抑制することが可能となる。
【図面の簡単な説明】
【図１】  この発明の実施の形態１の縦樋構造を備えた免震構造建物の要部の構成を説明する鉛直方向に沿った断面図である。
【図２】  この発明の実施の形態１の縦樋を示した斜視図である。
【図３】  （ａ）この発明の実施の形態２の縦樋構造を備えた免震構造建物の要部の構成を説明する鉛直方向に沿った断面図である。
（ｂ）この発明の実施の形態２の縦樋を示した斜視図である。
【図４】  従来の縦樋構造を備えた免震構造建物の要部の構成を説明する鉛直方向に沿った断面図である。
【符号の説明】
１０            免震構造建物
１１            建物本体
１２            基礎
１３            免震装置
２０            建物側縦樋部
２０ａ          下部開口
３０            基礎側縦樋部
３０ａ          上部開口
Ｌ              分割ライン
Ｔ              縦樋
【図１】
0004005834.tif 000002
【図２】
0004005834.tif 000003
【図３】
0004005834.tif 000004
【図４】
0004005834.tif 000005